(57)【要約】【課題】移動通信装置の使用に基づいて報酬を提供するためのシステム、装置および方法。【解決手段】実施形態は、例えば、質問データおよび応答データを通信ネットワーク上のコンピュータシステムと交換する移動通信装置を含むことができる。コンピュータシステムは、少なくとも一部分は、受信応答データに基づいて所定の報酬を決定するように動作可能な評価アプリケーションを含む。応答データは移動通信装置によってユーザに表示された質問データへの答えとしてユーザから移動通信装置によって受信される。所定の報酬は、例えば、無線ネットワーク上の移動通信装置の動作特性に影響を及ぼすかもしれない。また開示された実施形態は、少なくとも一部分は、応答データに基づいて結果決定を発生する、コンピュータシステムと関連する、結果アプリケーションを含むシステム、装置および方法でもある。【選択図】      図１
2009504102.tif 000002
【特許請求の範囲】
【請求項１】
移動通信装置であって、
ユーザインターフェースを発生するように動作可能な出力機構と、
結果評価アプリケーションと関連する質問データと、なお該質問データは該ユーザインターフェイスの少なくとも一部を決定し、そして
該質問データと関連する応答データを受信するための入力機構とを含み、該応答データは該無線ネットワーク上の該無線通信装置の動作特性に影響を及ぼす所定の報酬とさらと関連する
移動通信装置。
【請求項２】
無線ネットワークとのデータ交換を可能にする通信アプリケーションをさらに含む、請求項１記載の装置。
【請求項３】
該動作特性は該無線ネットワーク上の動作の認可、オペラビリティの使用可能な時間、オペラビリティのコスト、および適用可能なレートプランから成る該グループから選択される、請求項１記載の装置。
【請求項４】
移動通信装置であって、
無線ネットワークとのデータ交換を可能にする通信アプリケーションと、
ユーザインターフェイスを発生するように動作可能な少なくとも１つの出力装置と、
評価アプリケーションの少なくとも１つの基準と関連する質問データを有する少なくとも１つのデータ保管場所と、なお該基準は所定の標準と関連し、なお該ユーザインターフェイスの少なくとも一部は該質問データの１機能として定義可能であり、そして
該質問データと関連する応答データを受信するための入力機構とを含み、該応答データは該所定の標準を少なくとも部分限定的に達成し、および該応答データの所定の特性は該無線ネットワーク上の該移動通信装置の動作特性に影響を及ぼす所定の報酬を限定的にする
移動通信装置。
【請求項５】
該所定の報酬は有益な報酬、クレジット、有害な報酬、デビット、該装置の動作特性または機能性に影響を及ぼす報酬、該装置上の所定のアプリケーションまたは機能性を運用するための能力、該無線ネットワーク上の該装置を運用するための認可、該装置を運用するための使用の可能な時間、該装置の所定の動作時間または機能性と関連する適用可能なコストまたはレート、報酬を検索するための能力、無線ネットワーク関連の報酬、および非無線ネットワーク関連の報酬から成る該グループから選択される、請求項４記載の装置。
【請求項６】
該応答データの該所定の特性は受信された応答データの存在、該応答データの受信時間、該受信時間とユーザインターフェイス上の該質問データの発生と関連する表示時間との間の時間差、該応答データが関連する他のデータ、オーディオデータ、センサーデータ、生理学上のセンサーデータ、進行距離データ、加速データおよび速度データを識別するマーカまたはポインタを具備する応答時間を含む、請求項４記載の装置。
【請求項７】
移動通信装置であって、
ユーザインターフェイスを発生するように動作可能な少なくとも１つの出力機構と、
質問データおよび応答データと関連する通信アプリケーションおよびレジデント評価アプリケーションを含むデータを蓄積するための少なくとも１つのメモリ機構と、該通信アプリケーションは該通信ネットワークの全域でもう１つのコンピュータシステムに該応答データを出力することを含む通信ネットワークとのデータ交換を可能にするように動作可能である、該レジデント評価アプリケーションは該ユーザインターフェイス上に該質問データを表示するように動作可能である、スタディの結果に関する情報と関連する該質問データ、該質問データに関連したおよび該結果の決定と関連がある該応答データ、該通信ネットワーク上の該移動通信装置の動作特性を修正するように動作可能な所定の報酬を限定的にする該応答データと、そして
該応答データを受信するための少なくとも１つの入力機構とを含む
移動通信装置。
【請求項８】
該レジデント評価アプリケーションは該通信ネットワークの全域で該他のコンピュータシステムから受信可能である、請求項７記載の装置。
【請求項９】
該移動通信装置はセルラ電話機を含むおよび該通信ネットワークは無線電話通信ネットワークを含む、請求項７記載の装置。
【請求項１０】
移動通信装置であって、
無線ネットワークとのデータ交換を可能にする通信アプリケーションと、
該無線ネットワーク上の該移動通信装置の動作に影響を及ぼすアカウント特性を有する動作アカウントと関連する装置特有の識別番号と、
ユーザインターフェイスを発生するように動作可能な出力装置と、
該無線ネットワークの全域でもう１つのコンピュータシステム上の結果評価アプリケーションから受信された質問データと、なお該質問データは該ユーザインターフェイスの少なくとも一部を決定し、そして
該質問データと関連する応答データを受信するための入力装置とを含み、該応答データは該装置特有の識別番号を含むおよびさらに該無線ネットワークの全域で該他のコンピュータシステムによって発生可能な所定の報酬について決定でき、該所定の報酬は該アカウント特性を修正するために効果的であり、および該装置特有の識別番号に基づく該動作アカウントと関連する
移動通信装置。
【請求項１１】
移動通信装置であって、
無線ネットワークとのデータ交換を可能にする通信アプリケーションと、
ユーザインターフェイスを発生するように動作可能な出力装置と、
時間ベースの応答基準を有するおよび結果評価アプリケーションと関連する質問データと、なお該質問データは該ユーザインターフェイスの少なくとも一部を決定し、そして
関連応答時間および該質問データとさらに関連する応答データを受信するための入力装置とを含み、該応答時間は該無線ネットワーク上の該移動通信装置の動作特性に影響を及ぼす報酬を決定するための該時間ベースの応答基準と同等である
移動通信装置。
【請求項１２】
移動通信装置の使用に基づいて報酬を決定するためのシステムであって、
通信ネットワークとのデータ交換を可能にする通信インターフェイスと、なお該通信インターフェイスは移動電子装置から該通信ネットワーク上に送信された応答データを受信するように動作可能であり、
該通信ネットワークの全域で該移動通信装置に質問データを送信するように動作可能な評価アプリケーションと、なお該質問データは該移動通信装置のユーザに該移動通信装置内で該応答データを入力するように促し、そして
該応答データに基づいて報酬を識別するように動作可能な報酬アプリケーションとを含み、なお該報酬は該通信ネットワーク上の該移動通信装置の動作特性を修正するために効果的である
システム。
【請求項１３】
該評価アプリケーションは該通信ネットワークの全域で該移動通信装置へのレジデント評価アプリケーションの送信をさせることを実行可能であり、なお該レジデント評価アプリケーションは該ユーザに該質問データを表示させることを実行可能である、請求項１２記載のシステム。
【請求項１４】
該移動通信装置はセルラ電話機を含み、および該通信ネットワークは無線電気通信ネットワークを含む、請求項１３記載のシステム。
【請求項１５】
評価システムであって、
少なくとも１つの所定の通信ネットワークとのデータ交換を可能にする通信インターフェイスと、なお該通信インターフェイスは移動電子装置から該通信ネットワーク上に送信された応答データを受信するように動作可能であり、
所定の標準との該応答データの比較に基づいて少なくとも１つの結果を決定するように動作可能な評価アプリケーションと、および
該応答データに基づいて報酬を識別するように動作可能な報酬アプリケーションとを含み、なお該報酬は該通信ネットワーク上の該移動通信装置の動作特性を修正するために効果的である
評価システム。
【請求項１６】
該通信ネットワーク上の該移動通信装置の該動作特性を定義するユーザアカウントを有する通信サービスプロバイダをさらに含み、該評価アプリケーションは該ユーザアカウントの修正を可能にするために該通信サービスプロバイダに該報酬を送信するように動作可能である、請求項１５記載のシステム。
【請求項１７】
報酬を提供することに関する方法であって、
少なくとも一部分は、無線ネットワークの全域で移動通信装置から応答データを受信し、なお該応答データは該移動通信装置によって該ユーザに表示された質問データと関連するユーザ入力に対応し、
該応答データの特性に基づいて所定の報酬を決定し、なお該所定の報酬は該無線ネットワーク上の該移動通信装置の動作特性に影響を及ぼし、そして
該所定の報酬は該移動通信装置と関連させることを含む
方法。
【請求項１８】
該動作特性は該無線ネットワーク上の動作の認可、オペラビリティの使用可能な時間、オペラビリティのコスト、および適用可能なレートプランから成る該グループから選択される、請求項１７記載の方法。
【請求項１９】
該無線ネットワークの全域で該移動通信装置にレジデント評価プログラムを選択的にダウンロードすることをさらに含む、請求項１７記載の方法。
【請求項２０】
該無線ネットワークの全域で該移動通信装置に該質問データを送信することをさらに含む、請求項１７記載の方法。
【請求項２１】
該無線ネットワークの全域で該移動通信装置からの該応答データを要求することをさらに含む、請求項１７記載の方法。
【請求項２２】
評価を行うことに関する方法であって、
評価アプリケーションを有する通信ネットワーク上にコンピュータシステムを構成し、なお該評価アプリケーションは該評価の少なくとも１つの基準に関連する決定を含む結果決定を発生し、
該通信ネットワークの少なくとも１無線ネットワーク部上の１移動通信装置から送られた応答データを受信し、なお該応答データは該移動通信装置によって該ユーザに表示された質問データに応じて該移動通信装置のユーザによる該移動通信装置内への入力を含む、ここで該質問データは該評価の該基準と関連させ、そして
該受信された応答データに基づいて該結果決定を発生することを含む
方法。
【請求項２３】
該受信応答データは該結果決定に影響を及ぼす少なくとも１つの所定の特性をさらに含み、なお該応答データの該所定の特性は受信応答データの存在、該応答データの受信時間、該受信時間と該ユーザインターフェイス上の該質問データの発生と関連する表示時間との間の時間差、該応答データが関連する他のデータ、オーディオデータ、センサーデータ、生理学上のセンサーデータ、進行距離データ、加速データおよび速度データを識別するマーカまたはポインタを含む応答時間の少なくとも１つを含む、請求項２２記載の方法。
【請求項２４】
無線装置の性能を修正するためのシステムであって、通信ネットワーク上の移動通信装置の少なくとも１つの動作特性を制御するユーザアカウントを含み、なお該ユーザアカウントは該動作特性を定義する所定のアカウントパラメータを含み、および該ユーザアカウントは評価アプリケーションを有するコンピュータシステムから該通信ネットワークの全域で受信可能な所定の報酬によって修正可能であり、なお、該所定の報酬は該通信ネットワーク上の該コンピュータシステムによって受信された移動通信装置からの応答データに基づき、なお該応答データは該移動通信装置上のレジデント評価アプリケーションにより該ユーザに表示された質問データと関連するユーザ入力に対応する、
システム。
【請求項２５】
移動通信装置と関連するユーザアカウントを修正することに関する方法であって、
通信ネットワークの無線ネットワーク部上の移動通信装置からの応答データを受信し、なお該応答データは該移動通信装置上のレジデント評価アプリケーションにより該ユーザに表示された質問データと関連するユーザ入力に対応し、なお該移動通信装置は該ユーザアカウントと関連する、およびここで該ユーザアカウントは少なくとも該無線ネットワーク部上の該移動通信装置の動作を認可し、
該応答データに基づいて所定の報酬を発生し、なお該所定の報酬は該無線ネットワーク上の該移動通信装置の動作特性に影響を及ぼし、そして
無線ネットワーク上の該移動通信装置の動作特性を修正するために該ユーザアカウントへの該所定の報酬の該適用を開始することを含む
方法。
【請求項２６】
通信ネットワークの少なくとも１無線ネットワーク部の全域で他のコンピュータ装置と選択的な通信中の移動通信装置であって、該移動通信装置はコンピュータプラットフォーム、およびそこからユーザへの質問データの該選択的な表示をさせるおよび該通信ネットワーク上のもう１つのコンピュータ装置に応答データの該選択的な送信をさせるように動作可能な該コンピュータプラットフォーム上にロードされた少なくとも１つのレジデント評価アプリケーションを含み、なお該応答データは該質問データへの答えとして該ユーザによる該移動通信装置内への入力に対応する、
移動通信装置。
【請求項２７】
該移動通信装置はセルラ電話機であり、および該無線ネットワーク部はセルラ電気通信ネットワークである、請求項２６記載の移動通信装置。
【請求項２８】
該応答データは該通信ネットワーク上の該移動通信装置の動作特性に影響を及ぼす、請求項２７記載の移動通信装置。
【請求項２９】
該応答データはショートメッセージサービスにより伝送可能である、請求項２８記載の移動通信装置。
【請求項３０】
該レジデント評価アプリケーションは該無線ネットワーク部の全域で該移動通信装置の該コンピュータプラットフォーム内の該他のコンピュータ装置の少なくとも１つから受信可能である、請求項２９記載の装置。
【請求項３１】
無線ネットワークと通信しているコンピュータシステムに指示するコンピュータ可読媒体内に存在するコンピュータプログラムであって、実施時に、
該無線ネットワークの全域で移動通信装置から応答データを受信し、なお該応答データは該移動通信装置によって該ユーザに表示された質問データと関連するユーザ入力に対応し、
該応答データの特性に基づいて所定の報酬を決定し、なお該所定の報酬は該無線ネットワーク上の該移動通信装置の動作特性に影響を及ぼし、そして
該所定の報酬は該移動通信装置と関連する
行為を行うコンピュータプログラム。
【請求項３２】
該無線ネットワークの全域で該移動通信装置にレジデント評価プログラムを選択的にダウンロードすることをさらに含む、請求項３１記載のプログラム。
【請求項３３】
該無線ネットワークの全域で該移動通信装置に該質問データを選択的に送信することをさらに含む、請求項３１記載のプログラム。
【請求項３４】
該無線ネットワークの全域で該移動通信装置からの該応答データを要求することをさらに含む、請求項３１記載のプログラム。
【請求項３５】
報酬を得ることに関する方法であって、
無線ネットワークの全域から質問データを受信し、なお該質問データは評価アプリケーション、報酬アプリケーションおよび結果アプリケーションの少なくとも１つに対応し、
該質問データに対応する応答データを受信し、該応答データは該応答データの特性に基づいた所定の報酬と関連し、なお該所定の報酬は該無線ネットワーク上の該移動通信装置の動作特性に影響を及ぼし、および
該無線ネットワークの全域でコンピュータシステムに該応答データを送信することを含む
方法。
【請求項３６】
該移動通信装置は１セルラ電話機を含むおよび該無線ネットワークは１無線ネットワークを含み、および該所定の報酬は該セルラネットワーク上の該セルラ電話機の動作の使用可能な分数に影響を及ぼす、請求項３５記載の方法。
【請求項３７】
無線ネットワークと通信している無線通信装置に指示するコンピュータ可読媒体内に存在するコンピュータプログラムであって、実施時に、
該無線ネットワークの全域から質問データを受信し、なお該質問データは評価アプリケーション、報酬アプリケーションおよび結果アプリケーションの少なくとも１つに対応し、
該質問データに対応する応答データを受信し、該応答データは該応答データの特性に基づいた所定の報酬と関連し、なお該所定の報酬は該無線ネットワーク上の該移動通信装置の動作特性に影響を及ぼし、そして
該無線ネットワークの全域でコンピュータシステムに該応答データを送信する行為を行う
コンピュータプログラム。
【請求項３８】
移動通信装置であって、
該無線ネットワークの全域から質問データを受信するための手段と、なお該質問データは評価アプリケーション、報酬アプリケーションおよび結果アプリケーションの少なくとも１つに対応し、
該質問データに対応する応答データを受信するための手段と、該応答データは該応答データの特性に基づいた所定の報酬と関連し、なお該所定の報酬は該無線ネットワーク上の該移動通信装置の動作特性に影響を及ぼし、そして
該無線ネットワークの全域でコンピュータシステムに該応答データを送信するための手段とを含む
移動通信装置。
【請求項３９】
コンピュータシステムであって、
無線ネットワークの全域で移動通信装置から応答データを受信するための手段と、なお該応答データは該移動通信装置によってユーザに表示された質問データと関連するユーザ入力に対応し、
該応答データの特性に基づいて所定の報酬を決定するための手段とを含み、なお該所定の報酬は該無線ネットワーク上の該移動通信装置の動作特性に影響を及ぼし、そして
該所定の報酬は該移動通信装置と関連する
コンピュータシステム。
【発明の詳細な説明】
【技術分野】
【０００１】
［背景］
開示された実施形態は移動通信装置に関し、そしてより詳しくは移動通信装置の使用に基づいて報酬(reward)を提供するためのシステム、装置および方法に関する。
【０００２】
セルラ電話機、ページャおよび手持ち式パーソナルディジタルアシスタント（“ＰＤＡ”）のような、移動通信装置は無線ネットワーク上でボイスおよびデータの少なくとも１つを含む情報を通信する。移動通信装置は増大する計算能力と共に製造されつつあり、そしてパソコンと同じになりつつある。選んだセルラ電話機のような、一部の移動通信装置は、ソフトウェア開発者に無線通信装置上で動作するソフトウェアアプリケーションを作り出させるインストールされたアプリケーションプログラミングコンピュータプラットフォームを持つことができる。それで、それらの従来の通信機能性以外に、移動通信装置はそのうえ典型的にパソコンと関連した一般的な機能性を含むことができる。
【０００３】
ユーザに報酬を提供するためのシステムはパソコンおよび他の専用のコンピュータ化された装置を使用していた。デスクトップコンピュータまたはラップトップコンピュータのようなパソコンの使用に関連する１つの欠点は、ユーザが動き回っている間中それらは動き回れないかまたはそれらは便利に運用されないことである。他の報酬ベースのシステムはユーザから情報を集めるか、またはユーザに情報を中継するために専用のコンピュータ化された装置を使用していた。しかしながら、そのような専用のコンピュータ化された装置は典型的に他のタスクを達成するためにそれらを役立たせるための機能性が不足している。
【０００４】
したがって、万能の移動通信装置を組み込む報酬システムを提供することが望ましいであろう。
【発明の開示】
【０００５】
[概要]
開示された実施形態は移動通信装置によって表示された質問データへのユーザの応答に基づいて移動通信装置のユーザに報酬を提供するためのシステムおよび装置を提供する。
【０００６】
１つの実施形態では、移動通信装置はユーザインターフェースおよび結果評価アプリケーション（outcome evaluation application）と関連する質問データを発生するように動作可能な出力機構を具備し、ここにおいて質問データはユーザインターフェイスの少なくとも一部を決定する。この装置はさらに質問データと関連する応答データを受信するための入力機構を含み、ここにおいて応答データはさらに無線ネットワーク上の移動通信装置の動作特性に影響を及ぼす所定の報酬と関連する。
【０００７】
もう１つの実施形態では、移動通信装置は無線ネットワークとのデータ交換を可能にする通信アプリケーションおよびユーザインターフェイスを発生するように動作可能な少なくとも１つの出力装置を具備する。この装置はさらに評価アプリケーションの少なくとも１つの基準と関連する質問データを有する少なくとも１つのデータ保管場所を含み、ここにおいて基準は所定の標準と関連し、そしてここにおいてユーザインターフェイスの少なくとも一部は質問データの１機能として定義可能である。この装置はさらに質問データと関連する応答データを受信するための入力機構を含み、ここで応答データは所定の標準を少なくとも部分限定的に達成し、そしてここにおいて応答データの所定の特性は無線ネットワーク上の移動通信装置の動作特性に影響を及ぼす所定の報酬を限定的にする。
【０００８】
なおもう１つの実施形態では、移動通信装置はユーザインターフェイスを発生するように動作可能な少なくとも１つの出力機構と、質問データおよび応答データと関連する通信アプリケーションおよびレジデント評価アプリケーション(resident evaluation application)を含むデータを蓄積するための少なくとも１つのメモリ機構とを具備する。通信アプリケーションは通信ネットワークの全域でもう１つのコンピュータシステムに応答データを出力することを含む通信ネットワークとのデータ交換を可能にするように動作可能である。レジデント評価アプリケーションはユーザインターフェイス上に質問データを表示するように動作可能であり、ここにおいて質問データはスタディの結果に関する情報と関連する。応答データは質問データと関連し、そして結果の決定に関連がある。さらに、応答データは通信ネットワーク上の移動通信装置の動作特性を修正するように動作可能な所定の報酬を限定的にする。そして、この装置はさらに応答データを受信するための少なくとも１つの入力機構を含む。
【０００９】
さらなる実施形態では、移動通信装置は無線ネットワークとのデータ交換を可能にする通信アプリケーションおよび無線ネットワーク上の移動通信装置の動作に影響を及ぼすアカウント特性（account characteristic）を有する動作アカウント(operational account)と関連する装置特有の識別番号を具備する。この装置はさらにユーザインターフェイスを発生するように動作可能な出力装置および無線ネットワークの全域でもう１つのコンピュータシステム上の結果評価アプリケーションから受信された質問データを含み、ここにおいて質問データはユーザインターフェイスの少なくとも一部を決定する。そのうえ、この装置は質問データと関連する応答データを受信するための入力装置を含む。応答データは装置特有の識別番号を含み、そしてさらに無線ネットワークの全域で他のコンピュータシステムによって発生可能な所定の報酬について決定できる。所定の報酬はアカウント特性を修正するために効果的であり、そして装置特有の識別番号に基づく動作アカウントと関連する。
【００１０】
さらにもう１つの実施形態では、移動通信装置は無線ネットワークとのデータ交換を可能にする通信アプリケーションおよびユーザインターフェイスを発生するように動作可能な出力装置を具備する。この装置はさらに時間ベースの応答基準を有し、そして結果評価アプリケーションと関連する質問データを含み、ここにおいて質問データはユーザインターフェイスの少なくとも一部を決定する。この装置はまた関連応答時間を有し、そして質問データとさらに関連する応答データを受信するための入力装置を含む。応答時間は無線ネットワーク上の移動通信装置の動作特性に影響を及ぼす報酬を決定するための時間ベースの応答基準と同等である。
【００１１】
なおもう１つの実施形態では、移動通信装置の使用に基づいて報酬を決定するためのシステムは通信ネットワークとのデータ交換を可能にする通信インターフェイスを具備する。この通信インターフェイスは移動電子装置から通信ネットワーク上に送信された応答データを受信するように動作可能である。この装置はさらに通信ネットワークの全域で移動通信装置に質問データを送信するように動作可能な評価アプリケーションを含み、ここにおいて質問データは移動通信装置のユーザに移動通信装置内で応答データを入力するように促す。この移動通信装置はまた応答データに基づいて報酬を識別するように動作可能な報酬アプリケーション（reward application）を含み、ここにおいて報酬は通信ネットワーク上の移動通信装置の動作特性を修正するために効果的である。
【００１２】
もう１つの実施形態では、評価システムは少なくとも１つの所定の通信ネットワークとのデータ交換を可能にする通信インターフェイスを具備し、ここにおいて通信インターフェイスは移動電子装置から通信ネットワーク上に送信された応答データを受信するように動作可能である。このシステムはさらに所定の標準との応答データの比較に基づいて少なくとも１つの結果を決定するように動作可能な評価アプリケーションを含む。そのうえ、このシステムは応答データに基づいて報酬を識別するように動作可能な報酬アプリケーションを含み、ここにおいて報酬は通信ネットワーク上の移動通信装置の動作特性を修正するために効果的である。
【００１３】
さらにもう１つの実施形態では、報酬を提供することに関する方法は少なくとも一部分は、無線ネットワークの全域で移動通信装置から応答データを受信することを具備し、ここで応答データは移動通信装置によってユーザに表示された質問データと関連するユーザ入力に対応する。この方法はさらに応答データの特性に基づいて所定の報酬を決定することを含み、ここで所定の報酬は無線ネットワーク上の移動通信装置の動作特性に影響を及ぼす。そのうえ、この方法は所定の報酬が移動通信装置と関連することを含む。上述された方法のコンピュータ可読媒体の実施形態もまた提供される。
【００１４】
さらにもう１つの実施形態では、評価を行うことに関する方法は評価アプリケーションを有する通信ネットワーク上にコンピュータシステムを構成することを具備し、ここで評価アプリケーションは評価の少なくとも１つの基準に関連する決定を具備する結果決定を発生する。この方法はまた通信ネットワークの少なくとも１無線ネットワーク部上の１移動通信装置から送られた応答データを受信することを含み、ここで応答データは移動通信装置によってユーザに表示された質問データに応じて移動通信装置のユーザによる移動通信装置内への１入力を具備し、そしてここで質問データは評価の基準と関連する。そのうえ、この方法は受信された応答データに基づいて結果決定を発生することを含む。
【００１５】
もう１つの実施形態では、無線装置の性能を修正するためのシステムは通信ネットワーク上の移動通信装置の少なくとも１つの動作特性を制御するユーザアカウント(user account)を具備する。ユーザアカウントは動作特性を定義する所定のアカウントパラメータを含み、そしてユーザアカウントは評価アプリケーションを有するコンピュータシステムから通信ネットワークの全域で受信可能な所定の報酬によって修正可能である。所定の報酬は通信ネットワーク上のコンピュータシステムによって受信された移動通信装置からの応答データに基づく、ここで応答データは移動通信装置上のレジデント評価アプリケーションによりユーザに表示された質問データと関連するユーザ入力に対応する。
【００１６】
さらにもう１つの実施形態では、移動通信装置と関連するユーザアカウントを修正することに関する方法は通信ネットワークの無線ネットワーク部上の移動通信装置からの応答データを受信することを具備する。応答データは移動通信装置上のレジデント評価アプリケーションによりユーザに表示された質問データと関連するユーザ入力に対応し、ここで移動通信装置はユーザアカウントと関連し、そしてここでユーザアカウントは少なくとも無線ネットワーク部上の移動通信装置の動作を認可する。この方法はまた応答データに基づいて所定の報酬を発生することを含み、ここで所定の報酬は無線ネットワーク上の移動通信装置の動作特性に影響を及ぼす。そのうえ、この方法は無線ネットワーク上の移動通信装置の動作特性を修正するためにユーザアカウントへの所定の報酬の適用を開始する。
【００１７】
さらなる実施形態では、通信ネットワークの少なくとも１無線ネットワーク部の全域で他のコンピュータ装置と選択的な通信中の移動通信装置はコンピュータプラットフォーム(computer platform)を含む。この装置はさらにそこからユーザへの質問データの選択的な表示をさせ、そしてこの通信ネットワーク上のもう１つのコンピュータ装置に応答データの選択的な送信をさせるように動作可能なコンピュータプラットフォーム上にロードされた少なくとも１つのレジデント評価アプリケーションを含む。応答データは質問データへの答えとしてユーザによる移動通信装置内への入力に対応する。
【００１８】
もう１つの実施形態では、報酬を得ることに関する方法は無線ネットワークの全域から質問データを受信することを具備し、ここで質問データは評価アプリケーション、報酬アプリケーションおよび結果アプリケーションの少なくとも１つに対応する。この方法はさらに質問データに対応する応答データを受信することを含み、ここで応答データは応答データの特性に基づいた所定の報酬と関連する。この所定の報酬は無線ネットワーク上の移動通信装置の動作特性に影響を及ぼす。そのうえ、この方法は無線ネットワークの全域でコンピュータシステムに応答データを送信することを含む。上述された方法のコンピュータ可読媒体の実施形態もまた提供される。
【００１９】
さらにもう１つの実施形態では、移動通信装置は無線ネットワークの全域から質問データを受信するための手段を具備し、ここで質問データは評価アプリケーション、報酬アプリケーションおよび結果アプリケーションの少なくとも１つに対応する。この装置はさらに質問データに対応する応答データを受信するための手段を含み、応答データは応答データの特性に基づいた所定の報酬と関連し、ここで所定の報酬は無線ネットワーク上の移動通信装置の動作特性に影響を及ぼす。そのうえ、この装置は無線ネットワークの全域でコンピュータシステムに応答データを送信するための手段を含む。
【００２０】
もう１つの実施形態では、コンピュータシステムは無線ネットワークの全域で移動通信装置から応答データを受信するための手段を具備する。応答データは移動通信装置によってユーザに表示された質問データと関連するユーザ入力に対応する。コンピュータシステムはまた応答データの特性に基づいて所定の報酬を決定するための手段を含み、ここで所定の報酬は無線ネットワーク上の移動通信装置の動作特性に影響を及ぼす。そのうえ、コンピュータシステムは所定の報酬を移動通信装置と関連させるための手段を含む。
【００２１】
開示された実施形態の追加の局面および利点は、一部分が続く明細書内にも述べられ、そして一部分はこの説明から明白であり、すなわち開示された実施形態の実施によって習得されることができる。開示された実施形態の局面および利点はまた付加されたクレーム内で特に指摘された方便および組合わせの手段によって実現および達成されることができる。
【００２２】
開示された実施形態は開示された実施形態を説明するためにそしてそれを限定することがないように提供された添付図面、ここにおいて同じ名称は同じエレメントを表す、と一緒に下文に記述されるであろう。
【００２３】
［詳細な記述］
開示された実施形態は移動通信装置内のユーザによる入力に基づいて移動通信装置のユーザに報酬を提供するためのシステム、装置および方法を含む。例えば、１つの実施形態では、ユーザ供給の入力はユーザが当事者である医学臨床試験と関連する臨床的に重要な情報と関係がある可能性があり、ここで報酬は臨床的に重要な情報をタイムリーな手法で提供するためにユーザに対して報奨金を準備する。さらに、開示された実施形態は入力に基づいて結果を決定するためにユーザ供給の入力を分析するためのシステム、装置および方法を含む。例えば、１つの実施形態では、ユーザ供給の入力はユーザが当事者である医学臨床試験と関連する臨床的に重要な情報と関係がある可能性があり、ここでその結果は臨床試験と関連する所定の基準の達成に関係がある可能性がある。
【００２４】
図１を参照して、１つの実施形態では、ユーザに報酬を提供するためのシステム１０は通信ネットワーク１８の全域でコンピュータシステム１６と通信データ１４を無線的に交換する少なくとも１つの移動通信装置１２を含む。通信データ１４は移動通信装置１２の、ディスプレイのような、ユーザインターフェイス２２上でユーザに表示された質問データ２０を含む。コンピュータシステム１６と関連する評価アプリケーション２４はコンピュータシステム１６から移動通信装置１２への質問データ２０の送出を指示できる。そのうえ、通信データ１４は質問データ２０と関連し、そしてキーパッドのような、移動通信装置１２上の入力機構２８によりユーザから受信した応答データ２６を含む。移動通信装置１２はコンピュータシステム１６に応答データ２６を順方向転送する。さらに、評価アプリケーション２４は応答データ２６の内容および特性に基づいてユーザに割り当てうる所定の報酬３０の決定という結果になる受信応答データ２６の分析を指示できる。１つの実施形態では、例えば、所定の報酬３０は移動通信装置１２と関連する動作特性に影響を及ぼす報酬であることができる。そのような動作特性のいくつかの非限定的な実例は、装置にダウンロードされ、それによって運用されることができるゲームのような、通信ネットワーク１８上の装置１２の使用の可能な時間および／または装置１２の機能性であることができる。しかしながら、所定の報酬３０が任意の特定のタイプの動作特性に限定されないこと、および移動通信装置１２および／またはそれのユーザと関連する可能性がある任意のタイプの価値および／またはサービスをさらに含んでもよいことは注意されねばならない。そのように、所定の報酬３０は質問データ２０に応ずるように移動通信装置１２のユーザに報奨金を供給する。移動通信装置１２は高度に持ち運び可能で、容易に運用できる装置でありうるので、ユーザが動き回っている時でさえ、ユーザはいつも運んでタイムリーな手法で応答データ２６を供給するために装置１２を便利に運用できる。このように、移動通信装置１２により、システム１０はユーザに評価アプリケーション２４と関連する報酬ベースのプログラム内に参加することにおける使用のための便利で効率的な多目的ツールを提供する。
【００２５】
図２を参照して、報酬を提供するための方法の非限定的な実施形態では、例えば、移動通信装置１２のユーザは医学臨床試験における当事者である。コンピュータシステム１６および評価アプリケーション２４は、例えば、ユーザからの試験と関連する臨床的に重要な情報の検索を促進するように設計された質問データ２０で構成される（ブロック２００）。例えば、臨床試験当事者として、ユーザは、所定の回数、彼らの身体条件に関するような、ある医薬を摂取することおよびある質問に答えることを要求されるかもしれない。所定の報酬３０と引き替えにユーザがコンピュータシステム１６にこのフィードバックを供給することを可能にするために、ユーザはレジデント評価アプリケーション３２を供給されてもよい（ブロック２０２）。レジデント評価アプリケーション３２は、質問データ２０の表示を指示するために、そして移動通信装置１２上の応答データ２６の収集およびコンピュータシステム２０への応答データ２６の順方向転送を指示するために、評価アプリケーション２４とともに機能する。例えば、ユーザはレジデント評価アプリケーション３２をロードされた移動通信装置１２を供給されることができる。そのうえ、コンピュータシステム１６はユーザ／試験当事者によって運用された選択された移動通信装置１２に通信ネットワーク１６の全域でレジデント評価アプリケーション３２および／または質問データ２０を選択的にダウンロードできる。あらかじめセットした時間周期のような、レジデント評価アプリケーション３２内の所定のセッティングに基づいて、あるいは評価アプリケーション２４による要求または質問データ２０の受信に基づいて、レジデント評価アプリケーション３２の指示下にある移動通信装置１２はユーザ／試験当事者への質問の形で質問データ２０を表示でき（ブロック２０４）、そしてユーザ／試験当事者からの応答の形で応答データ２６を送信できる。そのような質問は移動通信装置１２によるユーザへの出力として表示されてもよく、ここで出力は質問データ２０を含むある形式の通信である。ユーザは移動通信装置１２に入力を供給することによるようなもので質問に応答でき、ここで入力は応答データ２６として表される。レジデント評価アプリケーション３２は通信ネットワーク１８の全域で移動通信装置１２からコンピュータシステム１６への応答データ２６の順方向転送を指示できる。コンピュータシステム１６は通信ネットワーク１８上で移動通信装置から応答データ２６を受信する（ブロック２０６）。その後は、応答データ２６の受信、内容および／または他の特性に基づいて、評価アプリケーション２４は所定の報酬３０を決定し（ブロック２０８）、それはユーザと関連付けされる（ブロック２１０）。これらのシステムおよび方法のさらなる詳細は下に記述される。
【００２６】
図１および３を参照して、移動通信装置１２は、セルラ電話機３４、衛星電話機３６、パーソナルディジタルアシスタント３８、２方向ページャ装置４０、移動パソコン（図示せず）および通信ネットワーク１８の全域で通信データ１４を送受信できる任意の他のタイプの携帯型装置のような、無線電話機を含むことができる。通信データ１４は質問データ２０および応答データ２６を含むことができるばかりでなく、ボイス、グラフおよびテキスト通信情報を含む、ボイスおよびデータパケットの少なくとも１つを含むこともできる。そのように、各移動通信装置１２は通信ネットワーク１８と関連する任意の他の装置と通信できる。そのうえ、移動通信装置１２は、レジデント評価アプリケーション３２によって促された時に、ユーザからの応答を要求するための質問データ２０の表示を含むユーザインターフェース２２を発生するためにプロセッサ４４によって制御可能な少なくとも１つの出力機構４２を有することができる。出力機構４２の例は液晶ディスプレイまたは発光ダイオードディスプレイ、スピーカのようなオーディオ装置、および振動を作り出すための回転機構および／またはブレイル(Braille)特性発生器のような触知可能装置を含む。プロセッサ４４は少なくとも１つのチップおよびプリント回路を含むことができ、それはメモリから命令を抽出し、デコードして、それらを実行する。ユーザインターフェース２２の例はイメージまたはグラフ、所定の音響、および所定の振動パターンおよび／または所定のブレイル特性を含む。移動通信装置１２はユーザが質問データ２０と関連して応答データ２６として表された移動通信装置１２内への入力を作り出すために使用できる少なくとも１つの入力機構２８をさらに含むことができる。入力機構２８の例はタッチスクリーンディスプレイ、少なくとも１つのキー、アルファベットおよび／または数字キーボード、音声認識ソフトウェアおよびダイヤルトーン認識ソフトウェアのようなオーディオ入力認識装置、およびユーザからの入力を受信することができる任意の他のタイプの装置または機構を含む。
【００２７】
そのうえ、移動通信装置１２は装置１２内のデータ／命令の交換を可能にし、そして通信ネットワーク１８との通信データ１４の交換を可能にするハードウェア、ソフトウェアおよびファームウェアの少なくとも１つを有している通信モジュール／アプリケーション４４を含むことができる。さらに、各移動通信装置１２は、通信サービスプロバイダ４８（図１）に移動通信装置１２がそれ自身を識別することを可能にすることができる装置識別番号４６を含むことができる。例えば、装置識別番号４６は装置１２および／または装置１２のユーザと関連する特有の識別子であってもよい。通信サービスプロバイダ４８は、例えば、少なくとも一部の通信ネットワーク１８への移動通信装置１２のアクセスを制御できる。そのように、通信サービスプロバイダ４８は装置１２を認証(authenticate)し、そして通信ネットワーク２２上の通信についてそれを認可(authorize)するために装置識別番号４６を要求できる。
【００２８】
図４を参照して、例えば、通信サービスプロバイダ４８の１つの実施形態は追加の装置情報５２、ユーザ情報５４および／または装置１２および／またはネットワーク１８上の装置１２の動作と関連するアカウントパラメータ５６を定義するユーザアカウント５０と関連付けることができる。追加の装置情報５２の例は下記を含むが、しかしこれに限定されない：型、モデル、ハードウェア版、ソフトウェア版、電子的連続番号、およびこの装置と関連する任意の他の特有の識別子。ユーザ情報５４の例は下記を含むが、しかしこれに限定されない：ユーザ名、ユーザアドレス、ユーザ電話番号、ユーザｅメールアドレス、このユーザと関連するアカウント番号、およびこのユーザと関連する任意の他の特有の識別子。アカウントパラメータの例は下記を含むが、しかしこれに限定されない：レートプラン（rate plan）、使用の可能な時間、使用の実際の時間、データパラメータ、ボイスパラメータ、マルチメディアパラメータ、およびこのアカウントの特性と関連する任意の他のデータ。
【００２９】
さらに、図３に戻り参照して、移動通信装置１２はデータおよび／またはレジデント評価アプリケーション３２のような、実行可能な命令を蓄積するためのメモリ６０を有する。メモリ６０は、ランダムアクセスメモリ（ＲＡＭ）、読出し専用メモリ（ＲＯＭ）、プログラマブル読出し専用メモリ（ＰＲＯＭ）、電子プログラマブル読出し専用メモリ（ＥＰＲＯＭ）、電子的消去可能プログラマブル読出し専用メモリ（ＥＥＰＲＯＭ）、フラッシュメモリ、磁気媒体、光媒体、ソフトディスク、ハードディスク、および任意の他のタイプの２次または３次メモリの少なくとも１つを含む、実メモリまたはバーチャルメモリのような、少なくとも１つのデータ保管場所を含んでもよい。
【００３０】
レジデント評価アプリケーション３２は、装置１２のメモリ６０内に蓄積され、そして評価アプリケーション２４と関連する装置１２上の機能性を実行するためにプロセッサ４４によって運用される、ソフトウェアアプリケーションのような、１組の実行可能な命令であってもよい。レジデント評価アプリケーション３２は、装置１２の初期製造の間中および／または通信ネットワーク１８の全域で装置１２とコンピュータシステム１６との間の通信セッションの間中のような、いつも装置１２上にロードされることができる。レジデント評価アプリケーション３２は、質問データ２０を受信して蓄積するために、固有質問保管場所６２と、そしてユーザから受信された応答データ２６を受信して蓄積するために、固有応答保管場所６４と通信している可能性がある。１つの実施形態では、例えば、レジデント評価アプリケーション３２は移動通信装置１２上の出力機構４２に固有質問データ保管場所９０からの質問データ２０を含むユーザインターフェイス２２を有するユーザを、ディスプレイ上のテキスト質問の形式におけるように、表示させることができる。ユーザは、例えば、キーストロークを応答データ２６によって示された電子フォーマットに変換するキーパッド上のキーを押すことによるように、入力機構２８を運用することによって、アルファベットのおよび／または数字の応答に入ることができる。そのような応答データ２６は応答データ保管場所９２内に蓄積されることができ、そして対応する質問データ２０と関連するおよび／または関係があるかもしれない。その後、所定の事例では、レジデント評価アプリケーション３２は固有応答データ保管場所９２から応答データ２６を検索でき、そして通信ネットワーク１８の全域でそれを評価アプリケーション２４に順方向転送できる。そのような所定の事例は、例えば、ユーザが評価アプリケーション２４から要求を受けることおよび／またはユーザが通信ネットワーク１８上で通信セッションを開始することを含んでもよい。
【００３１】
通信ネットワーク１８は、少なくともいくつかの部分では、２装置間の無線通信伝送を提供するための少なくとも１つまたは１組のネットワークを含むことができる。通信ネットワーク１８の例は下記のものの少なくとも１つ、または任意の組合わせを含む：セルラ電話ネットワーク；衛星電話ネットワーク；赤外線データ協会（ＩｒＤＡ；Infrared Data Association）ベースのネットワークのような赤外線ネットワーク；短距離無線ネットワーク(short-range wireless network)；ブルートゥース(Bluetooth（登録商標）)  テクノロジーネットワーク；超広帯域ネットワーク（“ＵＷＢ”;ultra wideband network）；ジグビー(ZigBee(R))  プロトコルネットワーク；ホーム無線周波数（ＨｏｍｅＲＦ）ネットワーク；共有無線アクセスプロトコル（ＳＷＡＰ;shared wireless access protocol）ネットワーク；無線イーサネット（登録商標）コンパチビリティ同盟（ＷＥＣＡ;wireless Ethernet（登録商標） compatibility alliance）ネットワーク、無線忠実度同盟(wireless fidelity alliance)（Ｗｉ-Ｆｉ  Ａｌｌｉａｎｃｅ）ネットワーク、８０２．１１ネットワークのような、広帯域ネットワーク；公衆電話交換ネットワーク；インターネットのような、公衆異種通信ネットワーク；私設通信ネットワーク；および医学移植通信（“ＭＩＣ;medical implant communication”）ネットワークのような、医学ネットワーク；遠隔計測法ネットワーク、等。電話ネットワークの例は：個人通信サービス、符号分割多重アクセス、広帯域符号分割多重アクセス、ユニバーサル移動電気通信システム、進歩した移動電話サービス、時分割多重アクセス、周波数分割多重アクセス、移動通信用グローバルシステム、アナログおよびディジタル衛星システム、および無線通信ネットワークおよびデータ通信ネットワークの少なくとも1つにおいて使用されることができる任意の他のテクノロジー／プロトコル、のようなアナログおよびディジタルネットワーク／テクノロジーの少なくとも1つ、あるいは任意の組合わせを含む。
【００３２】
図４を参照して、コンピュータシステム１６は任意のタイプのパソコン、ミニメインフレームおよび同種のものの少なくとも１つであってもよい。コンピュータシステム１６はバス６６または情報を通信するための他の通信機構、およびバス６６と連結された情報を処理するためのプロセッサ６８を含む。コンピュータシステム１６はまた通信データ１４、およびプロセッサ６８によって実行されるべき評価アプリケーション２４に関係がある他のデータおよび命令を蓄積するためのバス６６に連結された、ランダムアクセスメモリ（ＲＡＭ）または他の動的蓄積装置のような、メインメモリ７０を含む。メインメモリ７０はまたプロセッサ６８によって実行されるべき命令の実行の間中、一時的な変数または他の中間情報を蓄積するためにも使用されることができる。コンピュータシステム１６はさらにプロセッサ６８用の静的情報および命令を蓄積するためのバス６６に連結された読取り専用メモリ（ＲＯＭ）７２または他の静的蓄積装置を含んでもよい。磁気ディスクまたは光ディスクのような、蓄積装置７４が準備され、そして通信データ１４、および評価アプリケーション２４に関する他のデータと命令とを蓄積するためのバス６６に連結される。
【００３３】
コンピュータシステム１６はユーザに情報を表示するための、陰極線管（ＣＲＴ）またはフラットパネルディスプレイのような、ディスプレイ７６にバス６６によって連結されることができる。入力装置７８はプロセッサ６８への情報およびコマンド選択を通信するためのバス６６に連結される。例えば、入力装置７８は、英数字キー、機能キー、音声入力装置、タッチスクリーン装置、パッシブデータギャザラ、アクセロメータ、ペドメータ、生理学上のモニタのようなセンサ装置、および任意の他のタイプの入力受信機構を含んでもよいが、しかしこれに限定されない。もう１つのタイプのユーザ入力装置は、マウス、トラックボール、またはプロセッサ６８への指示情報およびコマンド選択を通信するためのおよびディスプレイ７６上のカーソル移動を制御するためのカーソル指示キーのような、カーソル制御８０であってもよい。この入力装置は典型的に２軸内に２つの自由度を有し、第１軸（例えば、ｘ）および第２軸（例えば、ｙ）はこの装置に１平面内の位置を指定させる。
【００３４】
記述された実施形態は、図５の実施形態のような、質問データ２０を送って応答データ２６を収集するために評価アプリケーション２４の命令を実行するように少なくとも１つの移動電子装置１２との通信を管理するためのコンピュータシステム１６の使用に関する。１つの実施形態によれば、質問データ２０および応答データ２６は入力装置７８、カーソル制御８０、または通信インターフェイス８２を介して受信された入力に答えて、メインメモリ７０内に含まれた数連の命令を実行するプロセッサ６８に答えてコンピュータシステム１６によって追跡および分析される。そのような命令は、蓄積装置７４のような、もう１つのコンピュータ可読媒体からメインメモリ７０内に読み込まれることができる。しかしながら、コンピュータ可読媒体は蓄積装置７４のような装置に限定されない。例えば、コンピュータ可読媒体はフロッピー（登録商標）ディスク、フレキシブルディスク、ハードディスク、磁気テープ、または任意の他の磁気媒体、ＣＤ−ＲＯＭ、任意の他の光媒体、パンチカード、紙テープ、孔のパターンを有する任意の他の物理媒体、ＲＡＭ、ＰＲＯＭ、ＥＰＲＯＭ、ＦＬＡＳＨ−ＥＰＲＯＭ、任意の他のメモリチップまたはカートリッジ、電気、電磁、赤外線、または光信号内に具体化された搬送波、あるいはそれからコンピュータが読み込むことができる任意の他の媒体を含んでもよい。メインメモリ７０内に含まれた数連の命令の実行はプロセッサ６８に下記の処理ステップを行わせる。代替の実施形態では、布線回路は記述された実施形態を実施するためにコンピュータソフトウェア命令の代わりにまたはそれと協力して使用されることができる。従って、記述された実施形態はハードウェア回路およびソフトウェアの任意の特定の組合わせに限定されない。
【００３５】
コンピュータシステム１６はまたバス６６に連結された通信インターフェイス８２を含む。通信インターフェイス８２はもう１つの装置および／またはネットワークとの２方向データ通信を提供する。例えば、通信インターフェイス８２は類似のタイプの電話線にデータ通信接続を提供するために統合サービスディジタルネットワーク（ＩＳＤＮ; integrated services digital network）カード、ディジタル加入者線（ＤＳＬ;digital subscriber line）カード、またはモデムであってもよい。もう１つの例として、通信インターフェイス８２はコンパチブルＬＡＮにデータ通信接続を提供するためにローカルエリアネットワーク（ＬＡＮ）カードであってもよい。無線リンクも実施されることができる。任意のそのような実施の形態では、通信インターフェイス８２はいろいろなタイプの情報を表すディジタルデータストリームを運ぶ電気、電磁または光信号を送受信する。特定のノートに関して、インターフェイス８２による通信は質問データ２０、応答データ２６、所定の報酬３０、および評価アプリケーション２４および／またはシステム１０と関連するもう１つの他のデータおよび／または命令の送受信を可能とすることができる。例えば、２つまたはそれ以上のコンピュータシステム１６は通信インターフェイス８２を使用している各々と従来の手法で共に接続されることができる。
【００３６】
ネットワークリンク８４は典型的に１つまたはそれ以上のネットワークにより他のデータ装置にデータ通信を提供する。例えば、ネットワークリンク８４はローカルネットワーク８６によりホストコンピュータ８８へのまたはインターネットサービスプロバイダ（ＩＳＰ）９０によって運用されるデータ装置への接続を提供できる。ＩＳＰ９０は順番に、今一般に“インターネット”９２と呼ばれる世界的なパケットデータ通信ネットワークによりデータ通信サービスを提供する。ローカルネットワーク８６およびインターネット９２はどちらもディジタルデータストリームを運ぶ電気、電磁または光信号を使用する。いろいろなネットワークを通した信号およびネットワークリンク８４上のおよび、コンピュータシステム１６へおよびからディジタルデータを運ぶ、通信インターフェイス８２を通した信号は情報を運ぶ典型的な形式の搬送波である。通信ネットワーク２２がネットワークリンク８４、ローカルネットワーク８６、ホストコンピュータ８８、ＩＳＰ９０およびインターネット９２の任意の組合わせを含んでもよいことは注意されねばならない。
【００３７】
コンピュータシステム１６はプログラム符号を含む、メッセージを送り、そしてネットワーク、ネットワークリンク８４および通信インターフェイス８２によりデータを受信できる。インターネットの例では、移動通信装置１２はインターネット９２、ＩＳＰ８８、ローカルネットワーク８６および通信インターフェイス８２によりアプリケーションプログラム用の要求された符号を送信するかもしれない。記述された実施形態に従って、１つのそのようなダウンロードされたアプリケーションは質問データ２０、応答データ２６および評価アプリケーション２４と関連する他の追加の命令の装置１２上の局部的管理を規定するレジデント評価アプリケーション３２である。
【００３８】
図１および６を参照して、評価アプリケーション２４は、コンピュータシステム１６上に蓄積されて所定の報酬３０を発生するように動作可能な、ソフトウェアアプリケーションのような、１組の実行可能な命令であってもよい。評価アプリケーション２４は下記に関する情報のような、ユーザからのあるタイプの情報を収集するように構成されてもよい：プログラム、スタディ、評価、マーケット分析、投票、試験、ゲーム、医学臨床試験、マーケテイング分析、医学弁済、報酬プログラム、ロイヤルティプログラム、達成プログラム、応諾プログラム、宣伝キャンペーン、教育プログラム、疾病管理プログラム、および／またはユーザへの質問データ２０の表示および／または応答データ２６の分析が有用である任意の他のイベント。さらに、評価アプリケーション２４は、所定の報酬３０を決定するために、対応する質問データ２０と関連して、応答データ２６を調査するために使用されることができる１組の実行可能な命令、アルゴリズム、テーブル、等を含む報酬アプリケーション９６を含んでもよい。
【００３９】
質問データ２０は、プログラム、スタディ、評価または、情報を表示するおよび／または評価アプリケーション２４によって使用されることができるデータを識別するおよび／または収集するのを手伝う評価アプリケーション２４と関連する任意の他の事象と関連する任意のデータであってもよい。例えば、質問データ２０は、情報を入力するために無線装置と相互に影響し合うような、行動をとることをユーザに促すことができる。例えば、質問データ２０は、電話番号を呼び出すこと、医薬を摂取すること、痛みの知覚レベルに相当する値を入力すること、感知装置（例えば、スケール、ピークフローメータ、グルコメータ、血圧、心拍、等）上の記録に相当する値を入力すること、無線装置に接続された計測装置内にサンプルを入力すること、教育的な試験質問に答えること、多肢選択の質問に答えること、等のような、行動を実行することをユーザに促してもよい。さらに、例えば、応答データ２６は質問データ２０に答えて移動通信装置１２のユーザから受信された任意のデータであってもよい。さらに、質問データ２０および応答データ２６はある様式において質問および応答データに関係するそれぞれの質問データ特性９８および応答データ特性１００とさらと関連してもよい。例えば、質問データ２０は移動通信装置１２のユーザに表示可能である情報の電子的に発生された表示であってもよい。例えば、質問データ２０はテキスト、グラフ、ビデオ、音声、機械的な動きまたは振動の形式で、およびユーザに情報を伝送するための任意の他の手法で表示されることができる。質問データ特性９８は下記のような、質問データ２０に関連する質的な、量的な、主観的なおよび客観的なデータの少なくとも１つを含むことができる：数値、英字または文字の組、記述語、質問データがユーザに送られた時間、質問データがユーザに表示された時間、質問データが関連する他のデータを識別するマーカまたはポインタ、音声、機械的な動き、等。同様に、応答データ２６は移動通信装置１２のユーザから受信される情報の電子的な表示であってもよい。例えば、応答データ２６は機械的入力、オーディオ入力、等の結果として生じてもよい。応答データ特性１００は下記のような、応答データ２６に関連する質的な、量的な、主観的なおよび客観的なデータの少なくとも１つを含むことができる：数値、英字または文字の組、記述語、応答データがユーザから受信された時間、応答データがコンピュータシステムに送られた時間、応答データが関連する他のデータを識別するマーカまたはポインタ、特定の質問データ２０と関連する応答データ２６の存在のインジケータ、質問データ２０がユーザに表示された時間と応答データ２６がユーザから受信された時間との間の差を表示する応答時間、オーディオデータ、センサーデータ、ぶどう糖メータからのようなメータデータ、生理学上のデータパラメータ、移動した距離または他のペドメータ関連のデータ、加速度および／または速度あるいは他のアクセロメータの関連データ、および応答データ２６と関連する任意の他のパラメータ。
【００４０】
所定の報酬３０はプログラム、スタディ、評価等、またはユーザへの質問データ２０の表示が望まれる、および／またはユーザ入力が分析のためにおよび／または結果を決定するために望まれる評価アプリケーション２４と関連する任意の他の事象内の移動体装置１２のユーザの参加を促進するために評価アプリケーション２４とともに使用されることができる。所定の報酬３０の例は下記を含むが、しかしそれに限定されない：報酬無し；クレジット(credit)のような有益な報酬；デビット(debit)のような有害な報酬(detrimental reward)；無線移動通信装置１２の動作特性および／または機能性に影響を及ぼす報酬；装置１２上の所定のアプリケーションおよび／または機能性を運用するための能力；通信サービスプロバイダ４０によって制御されることができる、無線ネットワーク部および／または任意の他のネットワーク部のような、少なくとも一部の通信ネットワーク１８上の装置１２を運用するための認可；運用中の装置１２の使用の可能な時間；通信サービスプロバイダ４０によって制御されることができる、無線ネットワーク部および／または任意の他のネットワーク部のような、少なくとも一部の通信ネットワーク１８上の運用中の装置１２の使用の可能な時間；通信サービスプロバイダ４０によって制御されることができる、無線ネットワーク部および／または任意の他の部分のような、少なくとも一部の通信ネットワーク１８上の動作と関連付けされるような、装置１２の所定の動作時間または機能と関連する適用可能なコストおよび／またはレート；音楽、ビデオ、画面、ソフトウェアアプリケーション、等を得るために使用するリンクおよび／またはコードのような、報酬を検索するための能力；ゲーム用のクレジット、着メロ、演芸、時報、テキストメッセージング、写真交換、メディア、インターネットベースの報酬；および通信ネットワーク内および／または通信ネットワーク外で利用可能な任意の他のタイプの報酬。
【００４１】
そのうえ、評価アプリケーション２４は、少なくとも一部は、受信された応答データ２６および／または応答データ特性１００、質問データ２０および質問データ特性９８の１つまたはそれ以上に基づいて少なくとも１つの結果決定１０４を発生する少なくとも１つの結果アプリケーション１０２をさらに含むことができる。結果アプリケーション１０２はデータを分析して結果決定１０４を制定することができる意思決定プログラムを具備する、１組の実行可能な命令、アルゴリズム、テーブル、等のいくつかの組合わせを含むことができる。結果アプリケーション１０２は、少なくとも１つのファクタが特定の結果なのかそうでないかの決定と関連するような、少なくとも１つの所定の標準１０８が達成されたような、評価基準１０６とさらに関連することができる。例えば、所定の標準１０８は評価基準１０６を達成するか達成しないかと関連する一連の値または個々の値の少なくとも１つを含むことができる。評価基準１０６および所定の標準１０８はコンピュータシステム１６のメモリ７０内に蓄積されることができる。そのように、結果決定１０４は結果アプリケーション１０２によって実行された分析に関する決定または勧告であってもよく、そして結果決定１０４は、少なくとも一部は、受信された応答データ２６および応答データ特性３０、および評価基準１０６と所定の標準１０８との少なくとも１つへのそれらの関係に基づいてもよい。、
そのうえ、評価アプリケーション２４、報酬アプリケーション９６および／または結果アプリケーション１０２が、１グループのユーザについて決定を行うために複数の移動通信装置の所定のグルーピングと同様に、個別のユーザに関して決定を行うための個別の移動電子装置１２と関連する質問データ２０および／または応答データ２６を使用できることは注意されねばならない。
【００４２】
例えば、上で検討したように、薬品または医学機器に関する臨床試験は、有能な当事者を登録すること、所定の時期に薬品を管理することまたは所定の医学機器を設置すること、および所定の時期に所定の基準と関連する質的、量的、主観的および／または客観的フィードバックを収集することを含んでもよい。例えば、フィードバックは、当事者が所定の時にいかに健康と感じるか、当事者が薬品はいかに良く効いていると感じるか、薬品がいかに良く効いているかに関する事実に基づく基準を形成する試験結果または客観的な測定値、等に関する詳細を含んでもよい。このフィードバックは無線移動通信装置１２上に表示された質問データ２０によって促がされ、そしてその後その装置内への入力は通信ネットワーク１８上で評価アプリケーション２４に中継される。評価アプリケーション２４および／または結果アプリケーション１０２はその後応答データ２６を分析する。例えば、この分析は受信データを既知の標準と比較することおよびこのデータがこれらの所定の標準とミートするかどうかを決定することを含んでもよい。この分析に基づいて、評価アプリケーション２４はその後所定の報酬３０および結果決定１０４の少なくとも１つを発生する。そのように、装置１２がセルラ電話機である１つの実施形態では、セルラ電話機のユーザアカウントに無料の時間を加えることによって、所定の報酬３０が装置１２の動作特性に影響を及ぼすことによって無線移動体装置１２のユーザに影響を及ぼすことができる。
【００４３】
評価アプリケーション２４、報酬アプリケーション９６および／または結果アプリケーション１０２の他の例は教育プログラム、学習または技能訓練／検査プログラム、糖尿病検査プログラム、行動または健康管理プログラムのような観察プログラム、外科手術準備および回復プログラム、等を含む。
【００４４】
１つの非限定の実施形態では、これらのプログラムはそれぞれの移動通信装置１２と関連する電話プラン上の覚え書を効果的に管理できる。例えば、評価アプリケーション２４、報酬アプリケーション９６および／または結果アプリケーション１０２の１つを使用することに参加するためにサインすることで、移動通信装置１２のユーザはその移動通信装置と関連するアカウントに割り当てられた所定数の使用可能な時間を持つことができる。アプリケーション２４、９６および／または１０２はその後、受信された応答データ２６によって、例えば、ユーザが調査を完了するかどうかによって、ユーザに追加の使用可能な時を供給するように動作するか、あるいは所定数の使用可能な時間のサブセットへのアクセスを制限する。
【００４５】
好都合に、本システムは、評価アプリケーション２４、報酬アプリケーション９６および／または結果アプリケーション１０２の保証人のような、任意の当事者に移動通信装置１２への報酬３０を購入させて提携／利用させる。この特徴は本システムに質問データを表示させ、応答データを収集させ、そして本質的に移動通信装置１２のユーザにそれぞれのアプリケーションをキャリヤネットワークまたはネットワークサービスプロバイダ、即ち、装置１２が運用しているネットワークのプロバイダとのいかなる相互作用も持つこと無しに管理させる。このように、本システムはユーザおよびキャリヤネットワークまたはネットワークサービスプロバイダの両者について明白な手法で動作する。
【００４６】
もう１つの実施形態では、例えば図７を参照して、システム１０（図１）はセルラ電話ネットワーク１１０を含むことができる。セルラ電話機３４のような、無線移動通信装置１２（図１）は増加する計算能力を持って製造されつつあり、そして無線ネットワーク上でボイスおよびデータの少なくとも１つを含むパケットを通信して、パソコンに等しくなりつつあるので、セルラ電気通信パスウエイの使用は増加してきた。これらの“スマートな”セルラ電話機の実施形態は、例えば、それらの固有のコンピュータプラットフォーム上にアプリケーションプログラミングインターフェイス（“ＡＰＩ）”を設置し、それはソフトウェア開発者にセルラ電話機上で動作するソフトウェアアプリケーションを作り出させ、そしてこの装置上のある機能性を制御させる。図７はセルラ無線ネットワークのコンポーネントおよび本システムのエレメントの相互関係をより完全に図示するブロック図である。セルラ電話ネットワーク１１０は単に例示に過ぎず、そしてそれによってセルラ電話機３４のような、リモートモジュールは相互の間でおよび／または、無線ネットワークキャリヤおよび／またはサーバを含むが、それに限定されずに、セルラ電話ネットワーク１１０のコンポーネントの間で大気中通信する。
【００４７】
なお図７の実施形態を参照して、コンピュータシステム１６および評価アプリケーション２４はセルラ電気通信サービスを提供するのに必要とされる任意の他のコンポーネントを有するセルラ電話ネットワーク１１０上に表示されることができる。例えば、コンピュータシステム１６は追加のデータ保管場所１１４および／または追加のデータ管理または後処理サーバ１１６を有するＬＡＮ１１２上で動作できる。コンピュータシステム１６は、インターネット、安全ＬＡＮ、ＷＡＮ、または他のネットワークのような、データリンク１２０によりキャリヤネットワーク１１８と通信する。キャリヤネットワーク１１８はメッセージングサービスコントローラ（“ＭＳＣ”）１２２に送られた（通常データパケットである）メッセージを制御する。キャリヤネットワーク１１８は、もう１つのネットワーク、インターネット、および／またはＰＯＴＳ（“プレーンオーディナリ電話システム”）のような、もう１つの通信リンク１２３によりＭＳＣ１２２と通信する。典型的に、キャリヤネットワーク１１８とＭＳＣ１２２との間のネットワークまたはインタネット接続はデータを転送し、そしてＰＯＴＳはボイス情報を転送する。ＭＳＣ１２２は、データ転送用のデータネットワークおよび／またはインターネットおよびボイス情報用のＰＯＴＳの両者を含む、少なくとも１つの通信リンク１２６によるように、複数の基地局（“ＢＴＳ”）１２４に接続されることができる。ＢＴＳ１２４は結局、ショートメッセージングサービス（“ＳＭＳ”）、等のような大気中送信プロトコル内の、セルラ電話機３４のような、移動通信装置にメッセージを無線放送する。
【００４８】
図７の実施形態では、セルラ電話機３４のような、各無線装置はソフトウェアアプリケーションを受信して実行することができ、そしてコンピュータシステム１６または他のネットワークサーバ１１６から送信されたデータを表示することができるコンピュータプラットフォーム１２８を含むことができる。コンピュータプラットフォーム１２８は特定用途向け集積回路（“ＡＳＩＣ”）１３０、または他のチップセット、プロセッサ、マイクロプロセッサ、論理回路、あるいは他のデータ処理装置を含んでもよい。ＡＳＩＣ１３０は無線移動通信装置３４の製造時に設置されてもよい。ＡＳＩＣ１３０または他のプロセッサは無線装置のメモリ１３４内の任意の固有のプログラムとインターフェイスするアプリケーションプログラミングインターフェイス（“ＡＰＩ”）層１３２を実行することができる。メモリ１３４は、例えば、ランダムアクセスおよび読出し専用メモリ（ＲＡＭおよびＲＯＭ）、ＥＰＲＯＭ、ＥＥＰＲＯＭ、フラッシュカード、およびコンピュータプラットフォームに共通の任意のメモリの少なくとも１つを含むことができる。コンピュータプラットフォーム１２８はまたソフトウェアアプリケーション、ファイル、またはレジデント評価アプリケーション３２、コンピュータシステム１６からダウンロードされた質問データ２０およびセルラ電話機３４のユーザから受信された応答データ２６のような、メモリ１３４内で積極的に使用されないデータを保持することができるローカルデータベース１３６を含んでもよい。ローカルデータベース１３６はフラッシュメモリセル、磁気媒体、ＥＰＲＯＭ、ＥＥＰＲＯＭ、光媒体、テープ、ソフトディスク、ハードディスク、および任意の他のタイプの２次または３次メモリの少なくとも１つを含んでもよい。このように、図７の実施形態では、各セルラ電話機３４はレジデント評価アプリケーション３２および／または質問データ２０をロードされることができ、そしてユーザに質問データ２０を表示して対応する応答データ２６を収集するように動作可能であり、そして通信ネットワーク１８（図１）の少なくとも一部分を形成することができる、無線ネットワーク１１０の全域で応答データ２６を、所定の報酬３０を割り当てる評価アプリケーション２４に順方向転送する。
【００４９】
このように、システムの一部であるかまたはそれに分けることができる、移動通信装置１２は、それのコンピュータプラットフォーム１２８上に少なくとも１つのレジデント評価アプリケーション３２を（永久的にか一時的に）持つことができ、それは通信ネットワーク１８上の（コンピュータシステム１６のような）もう１つのコンピュータ装置にその装置用の質問データ２０および／または応答データ２６の選択的送信をさせる。もしも装置１２がそのように具体化されるならば、質問データ２０および／または応答データ２６はオープンボイスまたはデータ呼のように、無線装置１２から通信ネットワーク１８へのオープン通信接続上に送信される。もしも装置１２がセルラ電話機３４であり、そして通信ネットワーク１８が、図７に示されるような、セルラ電気通信ネットワークを含むならば、その時質問データ２０および／または応答データ２６はショートメッセージサービスにより送信されることができる。
【００５０】
装置１２のコンピュータプラットフォーム上で、およびコンピュータシステム１６上で実行可能である方法のゆえに、このシステムの実施形態は、プログラムが装置１２および／またはコンピュータシステム１６にこの方法のステップを実行するように指示する、コンピュータ可読媒体内に固有の少なくとも１つのプログラムで実施されることができる。そのようなプログラムは任意の単独のコンピュータプラットフォーム上で実行されることができるか、あるいはいくつかのコンピュータプラットフォーム間でマルチスレッドされることができる。さらに、実施形態はコンピュータシステム１６のようなコンピュータ装置に、少なくとも１つの無線装置１２から応答データ２６を集めて処理することにより所定の報酬３０および／または結果決定１０４を集めるステップを実行するように指示するプログラムを含む。
【００５１】
例えば、コンピュータ可読媒体はセルラ電話機３４のコンピュータプラットフォーム１２８のメモリ１３４、移動通信装置１２と関連するメモリ６０、および／またはコンピュータシステム１６と関連するメモリ７０であることができる。そのようなメモリは装置プラットフォーム６４のローカルデータベース１３６のようなローカルデータベース内におよび／またはデータ保管場所１１４のようなもう１つのデータベース内にあることができる。さらに、コンピュータ可読媒体は、磁気ディスクまたはテープ、光ディスク、ハードディスク、フラッシュメモリ、または他のタイプの蓄積媒体のような、無線装置コンピュータプラットフォーム上にロード可能である２次蓄積媒体内にあることができる。
【００５２】
さらに、方法の実施形態は、例えば、一連の機械可読命令を実行するためにシステム１０および／またはネットワーク１１０の動作部分によって実施されることができる。命令は種々様々なタイプの信号含有のまたはデータ蓄積の１次、２次、または３次媒体内に存在できる。媒体は、例えば、システム１０および／またはネットワーク１１０のコンポーネントによってアクセスできるか、またはその中に存在する、ＲＡＭ（図示せず）を具備してもよい。ＲＡＭ、ディスケット、または他の２次蓄積媒体内に含まれようと含まれなかろうと、命令はＤＡＳＤ蓄積（例えば、従来の“ハードドライブ”またはＲＡＩＤアレイ）、磁気テープ、電子的読出し専用メモリ（例えば、ＲＯＭ、ＥＰＲＯＭ、またはＥＥＰＲＯＭ）、フラッシュメモリカード、光蓄積装置（例えば、ＣＤ−ＲＯＭ、ＷＯＲＭ、ＤＶＤ、ディジタル光テープ、紙“パンチ”カード、あるいはディジタルおよびアナログ伝送媒体を含む他の適当な蓄積媒体のような、種々の機械可読データ蓄積媒体上に蓄積されることができる。
【００５３】
種々様々な開示された実施形態が図示され、そして記述された一方で、この文書の対象物がこれらの実施形態のみに限定されないことは明らかであるだろう。数多くの修正、変更、変化、置換および等価物はクレーム内に記述されたように開示された実施形態の精神および範囲から逸脱すること無く、当分野の技術者には明白であるだろう。さらに、記述された実施形態のエレメントは単数で記述またはクレームされているが、複数も予想される。
【図面の簡単な説明】
【００５４】
【図１】通信ネットワーク上で評価アプリケーションと通信している移動通信装置を含む報酬システムの１つの実施形態を示す概要図。
【図２】移動通信装置のユーザに報酬を提供することに関する方法の１つの実施形態を示すフローチャート。
【図３】図１のシステムと関連する移動通信装置の１つの実施形態を示すブロック図。
【図４】図１のシステムと関連する通信サービスプロバイダの１つの実施形態を示すブロック図。
【図５】図１のシステムと関連するコンピュータシステムの１つの実施形態を示すブロック図。
【図６】図５のコンピュータシステムの追加コンポーネントの１つの実施形態を示すブロック図。
【図７】図１のシステムと関連する無線ネットワークを示す該要図。
【符号の説明】
【００５５】
１６…コンピュータシステム、１８…通信ネットワーク、２０…質問データ、２４…評価アプリケーション、２６…応答データ、４８…通信サービスプロバイダ
【図１】
2009504102.tif 000003
【図２】
2009504102.tif 000004
【図３】
2009504102.tif 000005
【図４】
2009504102.tif 000006
【図５】
2009504102.tif 000007
【図６】
2009504102.tif 000008
【図７】
2009504102.tif 000009
【国際調査報告】
2009504102.tif 000010
2009504102.tif 000011
2009504102.tif 000012